(57)【要約】【課題】テンプルなどに斬新な特徴を備える眼鏡フレームであって、ソフトな使用感が得られるとともに、豊富なデザインを施すことができる眼鏡フレームを提供する。【解決手段】眼鏡フレームは複数の線材３０により形成された板状部材５０を備え、板状部材５０は、その表面側と裏面側とを線材３０が連続して往復することにより、線材３０が整列した表面配列５０ｆ及び裏面配列５０ｒを備える。各線材３０は、表面配列５０ｆに位置している１区間内において、裏面配列５０ｒに位置する他の全ての線材と、１回ずつ交差している。各線材３０が、隙間を備えて隣り合い、表面配列５０ｆ及び裏面配列５０ｒによって網目模様が形成される。【選択図】図２
2017191134.tif 000002
【特許請求の範囲】
【請求項１】
複数の線材により形成された板状部材を備える眼鏡フレームであって、
前記板状部材は、その表面側と裏面側とに前記線材が連続して位置することにより、前記線材が整列した表面配列及び裏面配列を備え、
各線材は、前記表面配列に位置している１区間内において、前記裏面配列に位置する他の全ての線材と、１回ずつ交差していることを特徴とする眼鏡フレーム。
【請求項２】
前記各線材が隙間を備えて隣り合い、前記表面配列及び前記裏面配列によって網目模様が形成されていることを特徴とする請求項１に記載の眼鏡フレーム。
【請求項３】
前記表面配列及び前記裏面配列が、交差している箇所において接合されていることを特徴とする請求項１又は２に記載の眼鏡フレーム。
【請求項４】
テンプルの一部が、前記板状部材により形成されていることを特徴とする請求項１乃至３の何れか１項に記載の眼鏡フレーム。
【請求項５】
前記複数の線材が、異なる種類の素材又は異なる断面形状の素材で構成されていることを特徴とする請求項１乃至４の何れか１項に記載の眼鏡フレーム。
【発明の詳細な説明】
【技術分野】
【０００１】
本発明は、眼鏡フレームに関し、特に、テンプルなどに用いる新しい板状部材を提案することにより、十分な強度とバランスの良い柔軟性を備えてソフトな使用感を得ることができるとともに、豊富なデザインを施すことができる眼鏡フレームに関する。
【背景技術】
【０００２】
眼鏡フレームは、そのテンプルやブリッジなどに板状の部材が用いられている。これらは、外力に対する十分な強度が必要であるとともに、剛性と柔軟性をバランスよく備えてソフトな使用感が得られなければならない。同時に、様々な変形が可能であり、幅広いデザインを施すことが可能なものが好ましい。
【０００３】
特許文献１には、図５に示すように３本の線材１３０で形成された板状部材１５０が紹介され、眼鏡フレームのテンプルやブリッジに使用することが記載されている。
３本の線材１３１、１３２、１３３は、３つ網状に編まれ、相互間の移動が自由に交差しているので、加工においても板状部材１５０の変形を少なくできることが記載されている。
【０００４】
このような板状部材１５０は、十分な強度を得ることが可能であり、剛性と柔軟性とのバランスを適当に設定することが可能である。
しかしながら、板状部材１５０は、その外観が単調な形状の繰り返しであり、変化を付けることが難しく、斬新なデザインとすることが困難である。
なお、特許文献２には、レンズを備える内側フロント枠と、ブリッジを備える外側フロント枠とを連結した眼鏡フレームが紹介されている。
【先行技術文献】
【特許文献】
【０００５】
【特許文献１】特開２０００−３１０７５４号公報
【特許文献２】特開２０１３−６１３９７号公報
【発明の概要】
【発明が解決しようとする課題】
【０００６】
そこで、本発明は、眼鏡フレームのテンプルなどに使用する板状部材であって、複数の線材により形成された新しい板状部材を提案することを目的としている。そして、十分な強度とバランスの良い柔軟性を備え、ソフトな使用感を得ることが可能であるとともに、豊富なデザインを施すことができる眼鏡フレームを提供することを目的としている。
【課題を解決するための手段】
【０００７】
前記目的を達成するために、本発明の眼鏡フレームは、複数の線材により形成された板状部材を備える眼鏡フレームであって、前記板状部材は、その表面側と裏面側とに前記線材が連続して位置することにより、前記線材が整列した表面配列及び裏面配列を備え、各線材は、前記表面配列に位置している１区間内において、前記裏面配列に位置する他の全ての線材と、１回ずつ交差していることを特徴としている。
【０００８】
そして、前記各線材が隙間を備えて隣り合い、前記表面配列及び前記裏面配列によって網目模様が形成されている構成とすることができる。
また、前記表面配列及び前記裏面配列が、交差している箇所において接合されている構成とすることができる。
【０００９】
そして、テンプルの一部が、前記板状部材により形成されている構成とすることができる。
そして、前記複数の線材は、異なる種類の素材又は異なる断面形状の素材で構成することができる。
【発明の効果】
【００１０】
このように構成された本発明の眼鏡フレームは、使用する複数の線材について、その材質や断面形状などによって強度及び柔軟性を調整することができる。
また、使用する線材の材質、太さ、断面形状及び本数を変えることにより、また、隣り合う線材間の隙間を変えることにより、外観を大きく変えることが可能であり、幅広いデザインを展開することができる。
【図面の簡単な説明】
【００１１】
【図１】本発明の眼鏡フレームの一例を示す概略図である。
【図２】本発明の板状部材の一例を示す概略図である。
【図３】線材の本数を変えた場合の、線材の配置例を示す概略図である。
【図４】線材の好ましい配置例を示す説明図である。
【図５】従来の板状部材の一例を示す概略図である。
【発明を実施するための形態】
【００１２】
図１は、本発明の一例である眼鏡フレーム１０を示している。
眼鏡フレーム１０は、一対のテンプル２０、２０を備えるハーフリムタイプであって、テンプル２０、２０の一部が、複数の線材３０により形成された板状部材５０、５０を備えている。
ここでは、板状部材５０が、テンプル２０の一部として使用されているが、テンプル２０の全体に亘って使用することもできる。また、ブリッジなど、テンプル２０以外の部分に使用することもできる。
【００１３】
板状部材５０について、眼鏡フレーム１０を着用したときに外部から見える側を表面側と呼び、顔に密着する側を裏面側と呼ぶことにする。
板状部材５０は、平面図で見ると、線材３０が密接して斜めに配列されている。また、側面図で見ると、各線材３０が隙間を備えて隣り合い、一定の形状で整列している。
【００１４】
線材３０の素材としては、金、銀、ステンレス鋼、βチタンなどの金属や、樹脂類を使用することができる。
以下の説明においては、複数の線材３０の全てが、同一の材質であり、同一直径の円形断面を備えているとし、また、隣り合う線材３０、３０が、同一形状で等間隔に配置されているが、これらは適宜変えることができる。
【００１５】
すなわち、異なる素材の線材３０を用いて板状部材５０を作ることができる。また、異なる直径の線材３０を用いて板状部材５０を作ることができる。また、線材３０の断面形状を楕円や多角形とすることができる。また、隣り合う線材３０、３０の形状とピッチは、逐次的に、または周期的に変化させることができる。
【００１６】
板状部材５０の製造方法は特に限定されないが、捩じり工程と圧縮工程とを組み合わせることにより製造することができる。捩じり工程では、使用する複数の線材３０を束ねた全体を均一に捩じることにより索状体とする。圧縮工程では、この索状体を潰すように圧縮して扁平化することにより、板状部材５０とすることができる。
【００１７】
図２は、３本の線材３０により形成された板状部材５０を示している。
３本の線材３０は、相互の関係を明確にするために線材３１、３２、３３と区別し、また、その位置によっても、表面側に位置するときに線材３０ｆ、３１ｆ、３２ｆ、３３ｆと記載し、裏面側に位置するときに線材３０ｒ、３１ｒ、３２ｒ、３３ｒと記載している。
【００１８】
板状部材５０は、線材３１、３２、３３が、一定のピッチで表面側と裏面側とに連続して位置しながら、長さ方向（横方向）に進行することによって形成されている。「連続して」とは、途切れることなく続いているという意味である。
そして、表面側に現れた線材３１ｆ、３２ｆ、３３ｆによって表面配列５０ｆが形成され、裏面側に現れた線材３１ｒ、３２ｒ、３３ｒによって裏面配列５０ｒが形成されている。
【００１９】
１本の線材３１に着目すると、線材３１ｆは、表面配列５０ｆに位置している１区間内（すなわち２分の１ピッチの区間）において、裏面配列５０ｒに位置している線材３２ｒ、３３ｒと１回ずつ交差している。同様に、線材３１ｒは、裏面配列５０ｒに位置している１区間内において、表面配列５０ｆに位置している線材３２ｆ、３３ｆと１回ずつ交差している。
【００２０】
表面配列５０ｆにおいて、各線材３０ｆは、一定の隙間を備えて隣り合っている。同様に、裏面配列５０ｒにおいて、各線材３０ｒは、一定の隙間を備えて隣り合っている。そして、表面配列５０ｆに位置する各線材３０ｆは、裏面配列５０ｒに位置する各線材３０ｒと交差している。
この結果、表面配列５０ｆと裏面配列５０ｒによって、網目模様が形成されている。
【００２１】
板状部材５０は、表面配列５０ｆに位置する線材３０ｆと裏面配列５０ｒに位置する線材３０ｒとが、交差している全ての点において、線材３０ｆと線材３０ｒとが圧接されている。すなわち、表裏から圧縮力を受けて、少し変形した状態で接合されている。接合させることによって、一定の形状を保持することができる。
【００２２】
板状部材５０は、使用する複数の線材３０について、その材質及び断面形状などによって、強度及び柔軟性を調整することができる。
また、使用する線材３０の材質、太さ、断面形状及び本数を変えることにより、また、隣り合う線材間の隙間を変えることにより、外観を大きく変えることが可能であり、幅広いデザインを展開することができる。
【００２３】
図３により、線材３０の本数を変えることによって板状部材５０の外観が大きく変化すること、及び一定の条件が保持されることを示す。
【００２４】
板状部材５２は、２本の線材３０（３１、３２）を使用している。
この場合も、各線材３０が、表面側と裏面側とに連続して位置することにより、線材３０が整列した表面配列及び裏面配列が形成されている。
また、線材３１は、表面配列に位置している１区間内において、裏面配列に位置する他の１本の線材３２と、１回交差している。さらに、各線材３１、３２が隙間を備えて隣り合うことで、表面配列及び裏面配列によって網目模様が形成されている。
【００２５】
板状部材５３は、３本の線材３０（３１、３２、３３）を使用している。
この場合も、各線材３０が、表面側と裏面側とに連続して位置することにより、線材３０が整列した表面配列及び裏面配列が形成されている。
また、線材３１は、表面配列に位置している１区間内において、裏面配列に位置する他の全てとなる線材３２、３３と、１回ずつ交差している。さらに、各線材３１、３２、３３が隙間を備えて隣り合うことで、表面配列及び裏面配列によって網目模様が形成されている。
【００２６】
板状部材５４は、４本の線材３０（３１、３２、３３、３４）を使用している。
この場合も、各線材３０が、表面側と裏面側とに連続して位置することにより、線材３０が整列した表面配列及び裏面配列が形成されている。
また、線材３１は、表面配列に位置している１区間内において、裏面配列に位置する他の全ての線材３２、３３、３４と、１回ずつ交差している。さらに、各線材３１、３２、３３、３４が隙間を備えて隣り合うことで、表面配列及び裏面配列によって網目模様が形成されている。
【００２７】
板状部材５５は、５本の線材３０（３１、３２、３３、３４、３５）を使用している。
この場合も、各線材３０が、表面側と裏面側とに連続して位置することにより、線材３０が整列した表面配列及び裏面配列が形成されている。
また、線材３１が、表面配列に位置している１区間内において、裏面配列に位置する他の全ての線材３２、３３、３４、３５と、１回ずつ交差している。各線材３１、３２、３３、３４、３５が隙間を備えて隣り合うことで、表面配列及び裏面配列によって網目模様が形成されている。
【００２８】
図４により、板状部材５０の好ましい形態について説明する。
すなわち、線径がｄの線材３０をｎ本使用する場合に、デザイン的に好ましいピッチＰ及び幅Ｗを、次の式１及び式２で定めることができる。ここで、ａ及びｂは定数である。
Ｐ ＝ ａ・ｄ・ｎ  ……式１
Ｗ ＝ ｂ・ｄ・ｎ  ……式２
【００２９】
線材３０の断面形状が円形でない場合には、線径ｄの代わりに「相当直径Ｄｅ」を使用することができる（式３）。
Ｄｅ ＝ ４・Ａｆ／Ｗｂ  ……式３
ここで、Ａｆは断面積であり、Ｗｂは周囲の長さである。例えば、１辺がＬの正方形の断面である場合には、相当直径はＬとなる。
【００３０】
ａの値は、３．０ 〜 ４．０の値であることが好ましく、３．３ 〜 ３．７の値であることがより好ましい。
また、ｂの値は、１．１８ 〜 １．３８の値であることが好ましく、１．２５ 〜 １．３１の値であることがより好ましい。
【００３１】
例えば、線径が１．２ｍｍの線材を３本使用する場合には、ｄ＝１．２、ｎ＝３を代入すると、ピッチＰの値は、１０．８ 〜 １４．４ｍｍが好ましく、１１．９ 〜 １３．３ｍｍがより好ましいことになる。また、幅Ｗの値は、４．２５ 〜 ５．０ｍｍが好ましく、４．５ 〜４．７ｍｍがより好ましいことになる。
【００３２】
以上、図面を参照して、本発明の眼鏡フレームについて詳述したが、具体的な構成は、この実施形態に限らず、本発明の要旨を逸脱しない程度の設計的変更は、本発明に含まれる。
例えば、通常の眼鏡フレームにおいて、フロント枠に板状部材５０を使用することは難しいが、特許文献２に記載された外側フロント枠には、使用することが可能である。
また、ブリッジなどに使用する場合には、表面配列５０ｆと裏面配列５０ｒを、上下に配置して用いることもできる。
また、表面配列５０ｆ及び裏面配列５０ｒにおいて、各線材３０が曲線状をなして整列するとしたが、各線材３０が直線状で整列することもできる。
【符号の説明】
【００３３】
１０……眼鏡フレーム
３０……線材
５０……板状部材
５０ｆ……表面配列
５０ｒ……裏面配列
【図１】
2017191134.tif 000003
【図２】
2017191134.tif 000004
【図３】
2017191134.tif 000005
【図４】
2017191134.tif 000006
【図５】
2017191134.tif 000007